(57)【要約】  本発明は、パーソナル・ビデオ・レコーダー（ＰＶＲ）のＨＤＤのクラッシュの場合における、ＰＶＲのＨＤＤに格納されたファイルを復元することに関する。外部媒体にファイルが格納される度に、記憶容量が十分に利用可能である限り、ＨＤＤのファイルシステムの特別情報が、随意的に、暗号化された形式で、その媒体上に格納される。本発明によれば、書き換え可能な媒体が使用される場合、その格納された情報は上書きされる。それによって、その媒体を、最適に使用することができる。ＨＤＤが故障した場合、その格納された情報を使用して、ファイルを外部媒体にコピーことが可能である。【特許請求の範囲】
【請求項１】
固定メモリ手段と、書き換え可能タイプの取り外し可能なメモリ手段と、を有するパーソナル・ビデオ・レコーダーに関する動作方法であって、
新しいコンテンツ・アイテムが前記固定メモリ手段に記憶された後に、前記固定メモリ手段における前記コンテンツ・アイテムについての最新のファイルシステム情報を生成するステップと、
前記最新のファイルシステム情報を前記固定メモリ手段に格納するステップと、
前記取り外し可能なメモリ手段において十分な未使用のメモリ容量がある場合には、前記最新のファイルシステム情報のコピーを前記取り外し可能なメモリ手段に格納するステップと、
前記固定メモリ手段における前記最新のファイルシステム情報が破損した場合に、前記取り外し可能なメモリ手段から前記最新のファイルシステム情報の前記コピーを使用して、前記固定メモリ手段を復元するステップと、
を備え、
前記最新のファイルシステム情報の前記コピーは、
前記取り外し可能メモリ手段の前記未使用のメモリ容量の開始の位置において当該取り外し可能メモリ手段に書き込まれ、かつ、
新しいコンテンツ・アイテムが前記取り外し可能メモリ手段に記憶されるときはいつも当該最新のファイルシステム情報の当該コピーが上書きされるように、前記取り外し可能メモリ手段の第２のファイルシステムには登録されない、
ことを特徴とする方法。
【請求項２】
前記最新のファイルシステム情報は、前記固定メモリ手段のすべてのファイルに関するファイル構造及び断片化テーブルまたはディレクトリを含むことを特徴とする請求項１に記載の方法。
【請求項３】
前記取り外し可能メモリ手段は、書き換え可能光ディスクであることを特徴とする請求項１または２に記載の方法。
【請求項４】
前記最新のファイルシステム情報を格納するステップにおいて、前記最新のファイルシステム情報は個々のパーソナル・ビデオ・レコーダーに固有の暗号鍵を用いて暗号化された形式で格納され、前記最新のファイルシステム情報のコピーを使用するステップにおいて、前記情報は前記暗号鍵に対応する復号鍵を使用して復号化されることを特徴とする請求項１から３のいずれかに記載の方法。
【発明の詳細な説明】
【技術分野】
【０００１】
本発明は、パーソナル・ビデオ・レコーダー（ＰＶＲ）に関する動作方法に関し、特に、書き換え可能なＤＶＤ上にデータを格納する場合の動作方法に関する。
【背景技術】
【０００２】
最新のＰＶＲは、永続的なハード・ディスク・ドライブ（ＨＤＤ）を備えており、ＨＤＤは例えばビデオ又は写真のデータを格納し、記憶するために使用される。ＨＤＤの容量は、通常、大きいものであり、１００ＧＢ以上の量である。したがって、多数のビデオ及び／又は写真、あるいは他のデータを格納することが可能である。ＨＤＤは、ＰＶＲの筐体内に組み込まれる。ＰＶＲはまた、フラッシュメモリや光ディスクなどの外部媒体から読み出し、かつ外部媒体に書き込む手段を備える。
【０００３】
ＨＤＤが故障した場合に問題が生じる。というのも、データを記憶することができないからである。
【０００４】
この問題を避けるために、書き込み可能なＤＶＤ−Ｒ、書き換え可能なＤＶＤ−ＲＷ、及び／又はフラッシュメモリなどの外部記憶媒体に全部のファイルを格納することが知られている。しかしながら、これは、（例えば基盤上に）格納する多くの媒体、および（例えば棚（cupboard）の中に）格納される多くの媒体を必要とする。
【先行技術文献】
【特許文献】
【０００５】
【特許文献１】国際公開第２００５／０２９８５２号パンフレット
【発明の概要】
【発明が解決しようとする課題】
【０００６】
ＨＤＤの故障の場合には、多くの場合ＨＤＤのファイルシステムのみが破損される。そこで、データ損失を避ける他の方法は、ファイルシステムのバックアップをそのＨＤＤの第２の位置に格納することである。しかしながら、ＨＤＤの故障の場合には、この第２の位置もまた破損することがあり得る。
【０００７】
特許文献１には、記憶手段を有するＰＶＲなどのコンテンツ・アイテム・レコーダーに関する動作方法が記載されている。この方法は、複数のコンテンツ・アイテムに関連付けられた縮小された参照情報を生成するステップと、この情報を記憶手段とは別個のバックアップメモリに格納するステップとを有する。記憶手段は、高記憶容量のＨＤＤであることが好ましい。バックアップメモリは、光ディスクまたはフラッシュメモリとすることができる。縮小された参照情報は、ＨＤＤのコンテンツデータへ他の手段からアドレスすることが可能とされる情報を含む。それによって、ＨＤＤの故障の場合に、全ての、またはアイテムのほとんどのバックアップが初期化されることが可能である。しかし、書き換え可能な記憶媒体上にアイテムを格納する場合には、情報は記憶媒体上で数回格納され、それによって、アイテムを格納するために使用することができない記憶場所を占有する。
【課題を解決するための手段】
【０００８】
本発明の目的は、パーソナル・ビデオ・レコーダー（ＰＶＲ）に関する動作方法を提供する。ＨＤＤに格納されたデータのバックアップを可能にするために必要な情報が生成され、書き換え可能な媒体に格納される。そして、媒体は不必要なデータから解放される。
【０００９】
本発明によれば、パーソナル・ビデオ・レコーダー（ＰＶＲ）に関する動作方法が提供される。そして、最新情報（current information）を格納するための追加的なステップが実装され、外部記憶媒体が書き換え可能であるかをチェックし、Ｙｅｓである場合には外部記憶媒体の第２のファイルシステム内に格納されるように情報を登録（マーク）せず、追加のファイルが格納される必要がある場合には、格納された情報を上書きし、十分な場所がある場合には、最新情報を追加のファイルの後に格納して、故障した場合に、格納された最新の（最後の）情報を使用してＨＤＤ記憶手段を復元する。この解決法は、最新情報が格納されるとすぐに外部の書き換え可能な記憶媒体に格納された情報が必要とされない、という事実に依存する。一方、その格納された情報は、新しいデータを格納するために使用できない外部記憶媒体における記憶容量を要求する。第２のファイルシステムに格納されるように情報を常にマークしないことによって、この情報は、新しいデータが格納される必要があるとすぐに容易に上書きされる。十分な記憶容量がある場合には、最新情報が最後のファイルの終わり（end of the last file）に格納される。それによって、特に、いくつかのファイルが異なる時間に格納される必要がある場合に、書き換え可能な媒体の記憶容量を最適に使用することができる。情報を格納することは、ユーザー（ユーザーは、ファイルを格納するための動作をしさえすればよいことを意味する）の任意の追加的な動作なしで自動的に行われる。ユーザーは、情報の格納を認識することさえしない。
【００１０】
好ましくは、最新情報はＨＤＤ記憶手段のすべてのファイルに関するファイル構造及び断片化テーブルまたはディレクトリを含む。それにより、破損したＨＤＤからデータを復元するための関連情報のほとんどが、過度の記憶容量を用いることなく利用できる。
【００１１】
外部記憶媒体は、書き換え可能な光ディスクであり、好ましくはＤＶＤ−＋ＲＷディスクである。このディスクは故障に対して十分に安全であり、比較的大きな記憶容量を提供する。
【００１２】
ＨＤＤコンテンツについての最新情報が外部記憶媒体に書き込まれた場合、および外部記憶媒体が別のユーザーに転送された場合、最新情報は別のユーザーにとって可視的となることができるが、それは最初の（第１の）ユーザーにとって許容可能である場合もあり、許容可能でない場合もある。有利なことに、最新情報を格納するステップにおいて、最新情報は、個々のパーソナル・ビデオ・レコーダーに固有の暗号鍵を用いて暗号化された形式で格納される。そして、格納された最後の（最新の）情報を使用するステップにおいて、暗号鍵に対応する復号鍵を使用して情報が復号化される。この方法において、最新情報は、それが生成された同一のＰＶＲ上のみで使用できることが保障され、それゆえ、必要にならば、データプライバシーを与える。
【発明を実施するための形態】
【００１３】
本発明のさらなる特徴及び利点は、以下の好適な実施形態の説明から明らかになるであろう。
【００１４】
パーソナル・ビデオ・レコーダー（ＰＶＲ）は、ＴＶ送信機のような外部ソースからのデータを受信する受信機と、ハード・ディスク・ドライブ（ＨＤＤ）と、外部媒体から読み出し／外部媒体に書き込むため手段と、データを処理するためのプロセッサとを備える。プロセッサは、受信機、ＨＤＤ、および読み出し／書き込み手段と結合される。
【００１５】
ＨＤＤは、高記憶容量、好ましくは１００ＧＢ以上の記憶媒体であり、ビデオフィルム、写真、及び／又は音楽などのファイル（レコード）がデジタルデータの形式で格納される。すべての単一ファイルに対して、特別データがＨＤＤのファイルシステム内に格納される。ＨＤＤが破損する場合には、多くの場合ファイルシステムのみが関係する。結果として、それらのファイルは復元されることが可能であり、それらのファイルの特別データは利用可能である。このため、ＨＤＤとは異なる媒体上に特別データまたは全てのファイルの情報を格納することは有用である。
【００１６】
情報はＨＤＤのファイルシステムの主要部分と一致しており、ＨＤＤ記憶手段のすべてのファイルに関するファイル構造及び断片化テーブルまたはディレクトリを含む。
【００１７】
外部媒体から読み出す／外部媒体に書き込む手段は、ＣＤ及びＤＶＤに関するリーダー／ライター、並びにフラッシュメモリに関するリーダー／ライターを少なくとも１つを備える。
【００１８】
プロセッサは、ＨＤＤ、受信機、リーダー／ライター、およびＰＶＲに必要もしくは役立つ他の既知の機器と結合される。プロセッサは、ＰＶＲの全ての入出力データを、一又は複数のサブプロセッサを介して最終的には体系化（organize）する。
【００１９】
ＰＶＲハードウェアは当技術分野で既知であり、市場で共通のものを利用することができる。
【００２０】
本方法は、以下で説明される。
【００２１】
ユーザーは、ファイルを格納する必要がある記憶媒体を決定する。それによって、使用時間の後に、多くのファイルがＨＤＤ上に格納され、それぞれのファイルシステムが作成されてＨＤＤ上に格納される。
【００２２】
ユーザーが新しい外部媒体に一又は複数のファイルを格納すると決めた場合に、ユーザーは、その媒体をＰＶＲのそれぞれの手段に挿入する。プロセッサは、第１に、挿入された媒体は書き換え可能であるかをチェックし、第２に、ＨＤＤのファイルシステムが、情報が外部媒体に格納されていた最後の時間以降に変更されたかをチェックする。第２のチェックが肯定的である場合（ファイルシステムが変更されていたことを意味する）、プロセッサは最新情報を媒体に格納する準備をする。
【００２３】
（１又は複数の）ファイルが媒体に格納される。格納した後、プロセッサはファイルの後に情報を格納するのに十分な容量があるかをチェックする。Ｙｅｓの場合、最新情報がユーザーに知られることなく媒体に格納される。
【００２４】
第１のチェックが肯定的の場合、最新情報は媒体のファイルシステム内で登録されない。
【００２５】
ユーザーが、少なくとも１つのファイルおよび情報が既に格納されている外部媒体に、一又は複数のファイルを格納することを決定した場合、ユーザーはその媒体をＰＶＲのそれぞれの手段に挿入する。プロセッサは、挿入された媒体が書き換え可能であるか、および、ＨＤＤのファイルシステムが、情報が外部媒体に格納されていた最後の時間以降に変更されたか、をチェックする。両方のチェックが肯定的である場合、プロセッサは最新情報を媒体に格納する準備をする。
【００２６】
次に、新しいファイルによって情報が上書きされる。このため、媒体に格納された情報は、最新情報の準備の後、または同時に削除される。既存のファイルの後に新しいファイルを格納後、プロセッサはファイルの後に情報を格納するに十分な容量があるかをチェックする。Ｙｅｓの場合、最新情報がユーザーに知られることなく媒体に格納される。
【００２７】
最新情報は、媒体のファイルシステム内で登録されない。
【００２８】
ファイル及び／又は情報が媒体に格納される度に、プロセッサはＰＶＲの永続性メモリにその媒体の数を格納する。このメモリはディスク・ライブラリ（disc library）と呼ばれ、これによってユーザーは自身の媒体のコンテンツについて知らされる。ディスク・ライブラリはまた、情報が最後に格納された媒体を識別する（知っている）。
【００２９】
ＨＤＤの故障の場合、ＰＶＲは媒体のそれぞれの数をユーザーに対して示して、ユーザーに最新の情報を有する媒体を挿入するように依頼する。挿入されるとすぐに、プロセッサは情報を読み出して、ＨＤＤに格納されたファイルの復元を試みる。ファイルが、完全であれ部分的であれ、復元できた場合、ＰＶＲは、好ましくは書き込み（書き換え）可能なＤＶＤ、または、それぞれの接続を有している場合には外部のＨＤＤなどの外部媒体に、それぞれのファイルをコピーするようユーザーに依頼する。
【００３０】
もちろん、それらの映画は復元されない場合があり、最新の情報が格納された後にそれらの映画は格納される。
【００３１】
本発明の方法は、ＰＶＲの永続性メモリにコンピュータプログラムの形式で格納される。
【国際調査報告】
2010515136.tif 000002
2010515136.tif 000003
2010515136.tif 000004